(57)【要約】【課題】一方の建材と他方の建材を連結するために、一方の建材の厚さ方向に離れている第１端部と第２端部が他方の建材側の端部に設けられていて、これらを一方の建材の厚さ方向の同じ側に配置された結合具で結合できるようになる建材の連結部材、その連結具及びその連結構造を提供すること。【解決手段】連結部材２１は、間隔をあけて配設される開き戸装置側の建材であるドア枠２と、壁側の建材である補助部材８等とによる２個の建材を連結し、連結部材２１の一方の建材側の端部には、一方の建材の厚さ方向が軸方向となって一方の建材に配置された軸２４が挿通し、他方の建材側の端部には、一方の建材の厚さ方向に離れていて、他方の建材を挟む第１及び第２端部が設けられ、第１端部は第１結合具２５で他方の建材に結合され、第２端部は、頭部が第１結合具の頭部と同じ側に配置された第２結合具５０による引き寄せ作用により他方の建材に押圧される。【選択図】図２０
2020169562.tif 000002
【特許請求の範囲】
【請求項１】
間隔をあけて配設される２個の建材を連結するための建材の連結部材であって、
前記２個の建材のうちの一方の建材側の端部は、この一方の建材の厚さ方向が軸方向となって前記一方の建材に配置される軸を挿通するための端部になっているとともに、前記２個の建材のうちの他方の建材側の端部は、前記一方の建材の厚さ方向に離れていて、前記他方の建材を前記一方の建材の厚さ方向両側から挟む第１端部と第２端部になっており、前記第１端部は、前記一方の建材の厚さ方向のうち、前記第１端部側に配置される頭部と、この頭部から前記一方の建材の厚さ方向に延びて前記他方の建材に達する軸部とからなる第１結合具により、この第１結合具の結合作用によって前記他方の建材に結合される端部となっており、前記第２端部は、前記一方の建材の厚さ方向のうち、前記第１端部側に配置される頭部と、この頭部から、前記他方の建材から外れた位置において、前記一方の建材の厚さ方向に延びる軸部とからなる第２結合具により、この第２結合具の引き寄せ作用によって前記他方の建材に押圧される端部となっていることを特徴とする建材の連結部材。
【請求項２】
請求項１に記載の建材の連結部材において、長さ方向の両端部が前記２個の建材に達する長さ寸法となっている連結部が、前記一方の建材の厚さ方向に２個設けられており、前記第１端部と前記第２端部が設けられているこれらの連結部のうち、一方の連結部に前記第１結合具の前記軸部と前記第２結合具の前記軸部とが挿入されるとともに、前記２個の連結部のうち、他方の連結部に前記第２結合具の前記軸部が挿入され、前記他方の連結部が前記第２結合具の回転により前記一方の連結部側へ引き寄せられることにより、前記他方の連結部の前記第２端部が前記他方の建材に押圧されることを特徴とする建材の連結部材。
【請求項３】
請求項２に記載の建材の連結部材において、前記２個の連結部における前記一方の建材の厚さ方向と直交する側の端部同士の間に架け渡し部が架け渡されていることを特徴とする建材の連結部材。
【請求項４】
間隔をあけて配設される２個の建材を連結するために、前記２個の建材のうちの一方の建材に、この一方の建材の厚さ方向が軸方向となって配置される軸と、前記一方の建材側の端部に前記軸が挿通されるとともに、前記２個の建材のうちの他方の建材側の端部が前記他方の建材に結合される箇所となっている連結部材とを含んで構成されている建材の連結具であって、
前記連結部材における前記他方の建材側の前記端部は、前記一方の建材の厚さ方向に離れていて、前記他方の建材を前記一方の建材の厚さ方向両側から挟む第１端部と第２端部になっており、前記第１端部は、前記一方の建材の厚さ方向のうち、前記第１端部側に配置される頭部と、この頭部から前記一方の建材の厚さ方向に延びて前記他方の建材に達する軸部とからなる第１結合具により、この第１結合具の結合作用によって前記他方の建材に結合されている端部になっているとともに、前記第２端部は、前記一方の建材の厚さ方向のうち、前記第１端部側に配置される頭部と、この頭部から、前記他方の建材から外れた位置において、前記一方の建材の厚さ方向に延びる軸部とからなる第２結合具により、この第２結合具の引き寄せ作用によって前記他方の建材に押圧される端部になっていることを特徴とする建材の連結具。
【請求項５】
請求項４に記載の建材の連結具において、前記連結部材の個数は２個であり、これらの連結部材に前記軸が共通の挿通部材となって挿通されていることを特徴とする建材の連結具。
【請求項６】
請求項５に記載の建材の連結具において、前記２個の連結部材は、前記間隔方向に対する傾きが異なって前記２個の建材を連結するものとなっていることを特徴とする建材の連結具。
【請求項７】
間隔をあけて配設される２個の建材を連結部材によって連結するための建材の連結構造であって、
前記連結部材における前記２個の建材のうちの一方の建材側の端部には、この一方の建材の厚さ方向が軸方向となって前記一方の建材に配置された軸が挿通されているとともに、前記連結部材における前記２個の建材のうちの他方の建材側の端部は、前記一方の建材の厚さ方向に離れていて、前記他方の建材を前記一方の建材の厚さ方向両側から挟む第１端部と第２端部になっており、前記第１端部は、前記一方の建材の厚さ方向のうち、前記第１端部側に配置された頭部と、この頭部から前記一方の建材の厚さ方向に延びて前記他方の建材に達する軸部とからなる第１結合具により、この第１結合具の結合作用によって前記他方の建材に結合され、前記第２端部は、前記一方の建材の厚さ方向のうち、前記第１端部側に配置された頭部と、この頭部から、前記他方の建材から外れた位置において、前記一方の建材の厚さ方向に延びる軸部とからなる第２結合具により、この第２結合具の引き寄せ作用によって前記他方の建材に押圧されていることを特徴とする建材の連結構造。
【請求項８】
請求項７に記載の建材の連結構造において、前記連結部材には、長さ方向の両端部が前記２個の建材に達する長さ寸法となっている連結部が、前記一方の建材の厚さ方向に２個設けられており、前記第１端部と前記第２端部が設けられているこれらの連結部のうち、一方の連結部に前記第１結合具の前記軸部と前記第２結合具の前記軸部とが挿入されているとともに、前記２個の連結部のうち、他方の連結部に前記第２結合具の前記軸部が挿入されており、前記他方の連結部が前記第２結合具の回転により前記一方の連結部側へ引き寄せられることにより、前記他方の連結部の前記第２端部が前記他方の建材に押圧されていることを特徴とする建材の連結構造。
【請求項９】
請求項８に記載の建材の連結構造において、前記第２結合具は、この第２結合具の前記軸部が、この第２結合具の前記頭部から前記一方の建材の厚さ方向に延びている小径軸部と、この小径軸部から前記一方の建材の厚さ方向に延びている大径雄ねじ部とを有するタッピングビスであり、前記２個の連結部のそれぞれには、前記大径雄ねじ部の直径よりも直径が小さくて、前記小径軸部の直径よりも直径が大きい孔が設けられ、前記２個の連結部のうち、前記他方の連結部に設けられている前記孔に前記大径雄ねじ部が達している前記タッピングビスの回転により雌ねじ孔が刻設されているときに、前記一方連結部に設けられている前記孔に達している前記小径軸部の空回転により、前記他方の連結部の前記第２端部が前記他方の建材に押圧されていることを特徴とする建材の連結構造。
【請求項１０】
請求項７〜９のいずれかに記載の建材の連結構造において、前記連結部材の個数は２個であり、これらの連結部材は、前記間隔方向に対する傾きが異なって前記２個の建材を連結していることを特徴とする建材の連結構造。
【発明の詳細な説明】
【技術分野】
【０００１】
本発明は、間隔をあけて配設される２個の建材を連結するための建材の連結部材、その連結具及びその連結構造に係り、例えば、開き戸装置や引き戸装置等の装置側建材となっているドア枠等の開口枠を躯体に配置する際に、この開口枠と躯体側建材を連結するために用いることができるものである。
【背景技術】
【０００２】
下記の特許文献１には、建物等の躯体となっている壁に、内側が開き戸で開閉される出入口となっているドア枠が開口枠として配置されることが示されている。
【先行技術文献】
【特許文献】
【０００３】
【特許文献１】実開平６−１０５８５号公報
【発明の概要】
【発明が解決しようとする課題】
【０００４】
壁にドア枠等の開口枠を配置する作業は、壁側に設けられている躯体側建材に、開き戸のための建材となっている開口枠を間隔をあけて配置するとともに、これらの躯体側建材と開口枠とを連結部材で連結することによって行われる。
【０００５】
本発明の目的は、間隔をあけて配設される２個の建材を連結するための作業を、作業性を向上させて容易かつ短時間で行えるようになる建材の連結部材、その連結具、その連結構造及びその連結方法を提供するところにある。
【課題を解決するための手段】
【０００６】
本発明に係る建材の連結部材は、間隔をあけて配設される２個の建材を連結するための建材の連結部材であって、両端部が、前記２個の建材のうちの一方の建材に前記間隔の方向と直交する前記一方の建材の厚さ方向が軸方向となって配置されている被係止部材と、前記２個の建材のうちの他方の建材とに達する連結部を有し、前記連結部の前記両端部のうち、前記他方の建材側の端部は、前記被係止部材の前記軸方向に対する傾斜角度となっているねじり角度をもって形成され、前記他方の建材側の前記端部がこの他方の建材に結合具で結合されてこの端部の前記ねじり角度が減少又は消滅することで、前記連結部の前記両端部のうち、前記一方の建材側の端部に前記軸方向に対するねじり角度が発生可能となっており、このねじり角度の発生で前記一方の建材側の前記端部が前記被係止部材に係止して前記２個の建材を連結することを特徴とするものである。
【０００７】
このように本発明に係る建材の連結部材によると、連結部の両端部のうち、前記他方の建材側の端部は、前記係止部材の軸方向に対する傾斜角度となっているねじり角度をもって形成されていて、他方の建材側の端部がこの他方の建材に結合具で結合されてこの端部のねじり角度が減少又は消滅することにより、連結部の前記両端部のうち、一方の建材側の端部に前記軸方向に対するねじり角度が発生し、このねじり角度の発生により、前記一方の建材側の端部がこの一方の建材に配置されている被係止部材に係止して２個の建材が連結されるため、連結部の両端部のうち、前記他方の建材側の端部をこの他方の建材に結合具で結合する作業を行うことにより、２個の建材を被係止部材の軸方向に不動にして連結する作業を自ずと実施したことになり、このため、間隔をあけて配設される２個の建材を連結するための作業を、作業性を向上させて容易かつ短時間で行える。
【０００８】
以上の本発明に係る建材の連結部材において、連結部の両端部のうち、前記一方の建材側の前記端部を被係止部材に係止させることは、例えば、この端部に被係止部材を挿通させるための挿通部を設けることにより実現できる。
【０００９】
この挿通部は、孔でもよく、凹部等の切欠部でもよい。
【００１０】
また、本発明に係る建材の連結部材に設ける前記連結部の個数は、１個でもよく、被係止部材の軸方向に設けられた２個でもよい。また、連結部の個数を、被係止部材の軸方向に設けられた２個とする場合には、これらの連結部を、被係止部材の軸方向の幅寸法を有する架け渡し部により結合してもよい。
【００１１】
このように連結部の個数を、被係止部材の軸方向に設けられた２個とし、これらの連結部を、被係止部材の軸方向の幅寸法を有する架け渡し部により結合する場合には、２個の連結部のそれぞれの両端部のうち、前記他方の建材側の端部についての前記ねじり角度の方向を同じ方向としてもよく、あるいは、互いに逆の方向としてもよい。
【００１２】
また、２個の連結部を、被係止部材の軸方向の幅寸法を有する架け渡し部により結合する場合には、この架け渡し部には、この架け渡し部の強度を低下させる強度低下部を設けてもよい。
【００１３】
これによると、２個の連結部における前記他方の建材側の端部のそれぞれをこの他方の建材に結合具で結合すると、前記ねじり角度の減少又は消滅により、架け渡し部には湾曲等の変形が生じ、これにより、２個の連結部における前記一方の建材側の端部のそれぞれに、これらの端部が被係止部材に係止するためのねじり角度が発生するため、架け渡し部に、この架け渡し部の強度を低下させる強度低下部を設けておくことにより、架け渡し部に湾曲等の変形が生じやすくなって、前記一方の建材側の端部のそれぞれを被係止部材に一層確実に係止させることができる。
【００１４】
この強度低下部は、長孔や丸孔等の孔でもよく、凹部等の切欠部でもよく、薄肉部等でもよい。
【００１５】
また、本発明に係る建材の連結部材において、架け渡し部により結合される２個の連結部のそれぞれの両端部のうち、前記他方の建材側の端部をこの他方の建材に結合するためのそれぞれの前記結合具を、互いに被係止部材の軸方向における反対側に配置されていて、前記他方の建材側の端部をこの他方の建材に結合するために被係止部材の軸方向における互いに逆の向きとなっているものとしてもよく、あるいは、これらの結合具を、被係止部材の軸方向における同じ側に配置されていて、前記他方の建材側の端部をこの他方の建材に結合するために被係止部材の軸方向における同じ向きとなっているものとするとともに、これらの結合具のうち、一方の結合具を、前記２個の連結部のうち、被係止部材の軸方向における前記同じ側とは反対側に配置されている前記連結部を、被係止部材の軸方向における前記同じ側に配置されている連結部の側へ引き寄せるための結合具としてもよい。
【００１６】
前記結合具を後者のものとすると、これらの結合具により、２個の連結部のそれぞれの両端部のうち、前記他方の建材側の端部をこの他方の建材に結合するための作業を、被係止部材の軸方向における同じ側から行えることになり、これにより、作業性を一層向上させることができ、また、２個の建材の連結作業を、例えば、建物の入隅部についても実施できることになる。
【００１７】
また、本発明に係る建材の連結部材において、前述した連結部における前記他方の建材側の端部をこの他方の建材に結合具で結合することにより、連結部における前記一方の建材側の端部にねじり角度が発生し、この端部が被係止部材に一層確実に係止するようにするためには、この被係止部材を表面に凹凸が形成されている部材とすることが好ましい。これによると、連結部における前記一方の建材側の端部が、被係止部材の表面の上記凹凸のためにこの被係止部材に一層確実に係止するようになる。
【００１８】
このように被係止部材を表面に凹凸が形成された部材とするためには、被係止部材を、例えば、表面に雄ねじが形成されている雄ねじ棒としてもよく、あるいは、円周方向全周に形成された凸条と凹溝とが交互に軸方向に連続して並設されている棒状部材としてもよい。
【００１９】
本発明に係る建材の連結具は、間隔をあけて配設される２個の建材を連結するための建材の連結具であって、それぞれが前記２個の建材を連結する部材となっている第１連結部材と第２連結部材を含んで構成されており、前記第１連結部材は、両端部が、前記２個の建材のうちの一方の建材に前記間隔の方向と直交する前記一方の建材の厚さ方向が軸方向となって配置されている被係止部材と、前記２個の建材のうちの他方の建材とに達する連結部を有し、この連結部の前記両端部のうち、前記他方の建材側の端部は、前記被係止部材の前記軸方向に対する傾斜角度となっているねじり角度をもって形成され、前記他方の建材側の前記端部がこの他方の建材に結合具で結合されてこの端部の前記ねじり角度が減少又は消滅することで、前記連結部の前記両端部のうち、前記一方の建材側の端部に前記軸方向に対するねじり角度が発生可能となっており、このねじり角度の発生で前記一方の建材側の前記端部が前記被係止部材に係止して前記２個の建材を連結し、前記第１連結部材は、前記間隔の方向に対する傾き角度をなして前記２個の建材を連結するものとなっているとともに、前記第２連結部材は、前記間隔の方向に対する傾き角度が前記第１連結部材の前記傾き角度とは逆向きの傾き角度となって前記２個の建材を連結するものとなっていることを特徴とするものである。
【００２０】
この建材の連結具によると、第１連結部材の連結部の両端部のうち、前記他方の建材側の端部は、被係止部材の前記軸方向に対する傾斜角度となっているねじり角度をもって形成されていて、他方の建材側の端部がこの他方の建材に結合具で結合されてこの端部のねじり角度が減少又は消滅することにより、連結部の両端部のうち、前記一方の建材側の端部に前記軸方向に対するねじり角度が発生し、このねじり角度の発生により、前記一方の建材側の端部がこの一方の建材に配置されている被係止部材に係止して２個の建材が連結されるため、この建材の連結具でも、第１連結部材の連結部の両端部のうち、前記他方の建材側の端部をこの他方の建材に結合具で結合する作業を行うことにより、２個の建材を被係止部材の軸方向に不動にして連結する作業を自ずと実施できることになり、このため、間隔をあけて配設される２個の建材を連結するための作業を、作業性を向上させて容易かつ短時間で行える。
【００２１】
また、この建材の連結具によると、第１連結部材は、２個の建材の間隔の方向に対する傾き角度をなしてこれらの建材を連結するものとなっているとともに、第２連結部材は、２個の建材の間隔の方向に対する傾き角度が第１連結部材の前記傾き角度とは逆向きの傾き角度となってこれらの建材を連結するものとなっているため、第１連結部材と第２連結部材により２個の建材を連結した後には、これらの建材を、２個の建材の間隔の方向と直交する方向となっている上下方向等に不動にして連結できることになる。
【００２２】
なお、この建材の連結具において、第２連結部材における前記一方の建材側の端部には、前記被係止部材とは別の挿通部材を挿通させてもよいが、この被係止部材を、第１連結部材と第２連結部材における前記一方の建材側の端部に共通の挿通部材として挿通された部材としてもよい。
【００２３】
これによると、挿通部材の共通化により、部材点数の削減による構造の簡単化、コストの削減を図ることができる。
【００２４】
本発明に係る建材の連結構造は、間隔をあけて配設される２個の建材を連結するための建材の連結構造であって、それぞれが前記２個の建材を連結する部材となっている第１連結部材と第２連結部材とにより前記２個の建材を連結する構造であり、前記第１連結部材は、両端部が、前記２個の建材のうちの一方の建材に前記間隔の方向と直交する前記一方の建材の厚さ方向が軸方向となって配置されている被係止部材と、前記２個の建材のうちの他方の建材とに達する連結部を有し、この連結部の前記両端部のうち、前記他方の建材側の端部は、前記被係止部材の前記軸方向に対する傾斜角度となっているねじり角度をもって形成され、前記他方の建材側の前記端部がこの他方の建材に結合具で結合されてこの端部の前記ねじり角度が減少又は消滅することで、前記連結部の前記両端部のうち、前記一方の建材側の端部に前記軸方向に対するねじり角度が発生可能となっており、このねじり角度の発生で前記一方の建材側の前記端部が前記被係止部材に係止して前記２個の建材を連結し、前記第１連結部材は、前記間隔の方向に対する傾き角度をなして前記２個の建材を連結しているとともに、前記第２連結部材は、前記間隔の方向に対する傾き角度が前記第１連結部材の前記傾き角度とは逆向きの傾き角度となって前記２個の建材を連結していることを特徴とするものである。
【００２５】
この建材の連結構造によると、上述した建材の連結具と同様に、第１連結部材の連結部の両端部のうち、前記他方の建材側の端部は、被係止部材の前記軸方向に対する傾斜角度となっているねじり角度をもって形成されていて、他方の建材側の端部がこの他方の建材に結合具で結合されてこの端部のねじり角度が減少又は消滅することにより、連結部の前記両端部のうち、一方の建材側の端部に前記軸方向に対するねじり角度が発生し、このねじり角度の発生により、前記一方の建材側の端部がこの一方の建材に配置されている被係止部材に係止して２個の建材が連結されるため、この建材の連結構造でも、第１連結部材の連結部の両端部のうち、前記他方の建材側の端部をこの他方の建材に結合具で結合する作業を行うことにより、２個の建材を被係止部材の軸方向に不動にして連結する作業を自ずと実施できることになり、このため、間隔をあけて配設される２個の建材を連結するための作業を、作業性を向上させて容易かつ短時間で行える。
【００２６】
また、この建材の連結構造によると、第１連結部材は、２個の建材の間隔の方向に対する傾き角度をなしてこれらの建材を連結しているとともに、第２連結部材は、２個の建材の間隔の方向に対する傾き角度が第１連結部材の前記傾き角度とは逆向きの傾き角度となってこれらの建材を連結しているため、第１連結部材と第２連結部材により２個の建材を連結した後には、これらの建材を、２個の建材の間隔の方向と直交する方向となっている上下方向等に不動にして連結できることになる。
【００２７】
本発明に係る建材の連結方法は、間隔をあけて配設される２個の建材を連結するための建材の連結方法であって、それぞれが前記２個の建材を連結する部材となっている第１連結部材と第２連結部材を用いて前記２個の建材を連結する方法であり、前記第１連結部材は、両端部が、前記２個の建材のうちの一方の建材に前記間隔の方向と直交する前記一方の建材の厚さ方向が軸方向となって配置されている被係止部材と、前記２個の建材のうちの他方の建材とに達する連結部を有し、この連結部の前記両端部のうち、前記他方の建材側の端部は、前記被係止部材の前記軸方向に対する傾斜角度となっているねじり角度をもって形成され、前記他方の建材側の前記端部がこの他方の建材に結合具で結合されてこの端部のねじり角度が減少又は消滅することで、前記連結部の前記両端部のうち、前記一方の建材側の端部に前記軸方向に対するねじり角度が発生可能となっており、このねじり角度の発生で前記一方の建材側の前記端部が前記被係止部材に係止して前記２個の建材を連結し、前記第１連結部材は、前記間隔の方向に対する傾き角度をなして前記２個の建材を連結するものとなっているとともに、前記第２連結部材は、前記間隔の方向に対する傾き角度が前記第１連結部材の前記傾き角度とは逆向きの傾き角度となって前記２個の建材を連結するものとなっており、前記第１連結部材と前記第２連結部材を前記２個の建材の間に挿入するときに、前記第１連結部材と前記第２連結部材とを、前記間隔の方向と、前記２個の建材のうちの一方の建材の厚さ方向とに直交する方向に並ばせながら平行又は略平行とさせて挿入するための第１作業工程と、前記第１作業工程の後に、前記第１連結部材と前記第２連結部材についての前記間隔の方向に対する傾き角度を互いに逆向きの傾き角度とするための第２作業工程と、前記第２作業工程の後に、前記第１連結部材と前記第２連結部材により前記２個の建材を連結するための第３作業工程と、を含んでいることを特徴とするものである。
【００２８】
この建材の連結方法でも、上述した建材の連結具及びその連結構造と同様に、第１連結部材の連結部の両端部のうち、前記他方の建材側の端部は、被係止部材の前記軸方向に対する傾斜角度となっているねじり角度をもって形成されていて、他方の建材側の端部がこの他方の建材に結合具で結合されてこの端部のねじり角度が減少又は消滅することにより、連結部の前記両端部のうち、一方の建材側の端部に前記軸方向に対するねじり角度が発生し、このねじり角度の発生により、前記一方の建材側の端部がこの一方の建材に配置されている被係止部材に係止して２個の建材が連結されるため、この建材の連結具でも、第１連結部材の連結部の両端部のうち、前記他方の建材側の端部をこの他方の建材に結合具で結合する作業を行うことにより、２個の建材を被係止部材の軸方向に不動にして連結する作業を自ずと実施できることになり、このため、間隔をあけて配設される２個の建材を連結するための作業を、作業性を向上させて容易かつ短時間で行える。
【００２９】
また、この建材の連結方法によると、第１連結部材は、２個の建材の間隔の方向に対する傾き角度をなしてこれらの建材を連結するものとなっているとともに、第２連結部材は、２個の建材の間隔の方向に対する傾き角度が第１連結部材の前記傾き角度とは逆向きの傾き角度となってこれらの建材を連結するものとなっているため、第１連結部材と第２連結部材により２個の建材を連結した後には、これらの建材を、２個の建材の間隔の方向と直交する方向となっている上下方向等に不動にして連結できることになる。
【００３０】
さらに、この建材の連結方法によると、第１作業工程において、第１連結部材と第２連結部材を２個の建材の間に挿入するときには、第１連結部材と第２連結部材とを、２個の建材の間隔の方向と、これらの建材のうちの一方の建材の厚さ方向とに直交する方向に並ばせながら平行又は略平行とさせるため、第１作業工程において、第１連結部材と第２連結部材を２個の建材の間に挿入する際に、この挿入作業を、第１連結部材と第２連結部材の間隔が小さくても有効に実施することができる。
【００３１】
以上説明した本発明に係る建材の連結部材、その連結具、その連結構造及びその連結方法により連結される２個の建材は、任意の建材でよく、これらの建材の一例は、壁等の躯体側の建材と、この建材と左右方向に対向して配置される開口枠とであり、この開口枠は、開き戸装置のためのドア枠でもよく、引き戸装置のための開口枠でもよく、壁に形成される通行用開口部のための開口枠でもよく、また、２個の建材のうち、１個の建材は、通常時はドア枠から開けられている防火扉を収納するための戸袋等でもよい。また、本発明に係る建材の連結部材、その連結具、その連結構造及びその連結方法は、建物の中間柱を含む柱や、梁、横桟、面材等の２個の建材を連結するためにも用いることができ、適用する建材は任意である。
【００３２】
また、本発明に係る建材の連結部材、その連結具、その連結構造及びその連結方法は、建物等の構造物に新設される建材に適用できるとともに、改修される建材にも適用することができる。
【発明の効果】
【００３３】
本発明によると、間隔をあけて配設される２個の建材を連結するための作業を、作業性を向上させて容易かつ短時間で行えるという効果を得られる。
【図面の簡単な説明】
【００３４】
【図１】図１は、本発明の一実施形態に係る建材の連結具が適用されている開き戸装置の全体正面図である。
【図２】図２は、開き戸装置側の建材となっているドア枠を示す全体正面図である。
【図３】図３は、第１連結具と第２連結具により、ドア枠と、躯体側の建材となっている補強部材とを、補強部材に取り付けられている補助部材を介して連結している構造を示す全体正面図である。
【図４】図４は、図３のＳ４−Ｓ４線断面図である。
【図５】図５は、図３で示されている第１連結具の全体を、図３及び図４で示されている補助部材を含めて示した斜視図である。
【図６】図６は、図５の正面図である。
【図７】図７は、第１連結具及び第２連結具の構成部材となっている第１連結部材を示し、（Ａ）は平面図、（Ｂ）は側面図、（Ｃ）は底面図、（Ｄ）は背面図である。
【図８】図８は、荷重が作用したときの第１連結部材を示し、（Ａ）は平面図、（Ｂ）は側面図、（Ｃ）は底面図である。
【図９】図９は、第１連結具の構成部材となっている第２連結部材を示し、（Ａ）は側面図、（Ｂ）は背面図である。
【図１０】図１０は、図５及び図６で示されている第１連結具の第１連結部材と第２連結部材が平行又は略平行となっているときの状態を実線で示した正面図である。
【図１１】図１１は、第１連結部材と第２連結部材が図１０の実線で示した状態になっているときにおける第１連結具を示す側面図である。
【図１２】図１２は、図１１のＳ１２−Ｓ１２線断面図である。
【図１３】図１３は、第１連結部材と第２連結部材が図５及び図６で示されているようにくの字状となっているときにおける第１連結具を示す側面図である。
【図１４】図１４は、図１３のＳ１４−Ｓ１４線断面図である。
【図１５】図１５は、第１連結部材及び第２連結部材を図４の補強部材に取り付けられた補助部材に結合具で結合する以前の状態を示す図４と同様図である。
【図１６】図１６は、第１連結部材及び第２連結部材を二点鎖線で示した補強部材に結合具より結合したときの状態を示す図１３と同様の図である。
【図１７】図１７は、図１６のときの状態を示す図４と同様の図である。
【図１８】図１８は、図１６及び図１７の状態のときに第１連結具の第１連結部材が被係止部材となっている中心軸に係止していることを示す拡大断面図である。
【図１９】図１９は、第１連結部材及び第２連結部材を補強部材に取り付けられた補助部材に、中心軸の軸方向における同じ側に配置された結合具により結合したときの状態を示す図１６と同様の図である。
【図２０】図２０は、図１９のときの状態を示す図４と同様の図である。
【図２１】図２１は、図１９及び図２０で示した結合具を適用できる建物の構造を示す平断面図である。
【発明を実施するための形態】
【００３５】
以下に本発明を実施するための形態を図面に基づいて説明する。図１には、開き戸装置の全体正面図が示され、この開き戸装置は、開き戸１がドア枠２にヒンジ３を中心に回動自在に取り付けられて構成され、ドア枠２は、建物躯体である壁４に形成された開口部４Ａの内側に配置されている。図２には、開き戸１が取り付けられる以前のドア枠２が示されている。この図２に示されているように、ドア枠２は、内側が開き戸１により開閉される出入口１１となっている開口枠であり、本実施形態のドア枠２は四方枠となっているため、このドア枠２は、左右の側枠部材２Ａ，２Ｂと、上枠部材２Ｃと、沓摺部材である下枠部材２Ｄとからなり、これらの枠部材２Ａ，２Ｂ，２Ｃ，２Ｄは予め工場で溶接接合されて、開き装置が設置される建物等の構築物の建築現場に搬送されている。
【００３６】
なお、ドア枠２は、下枠部材２Ｄが存在しない三方枠でもよい。
【００３７】
図３には、図１及び図２で示されている壁４へのドア枠２の配置状態が示されており、図４は、図３のＳ４−Ｓ４線断面である。図１及び図２で示されている壁４は、図４に示されているように、芯部材５の表裏両面に石膏ボード等の面材６を止着することにより形成され、建物躯体となっているこの壁４に設けられた図１及び図２の開口部４Ａの内側にドア枠２が配置されている。図３には、壁４の内部に多数設けられている芯部材５のうち、ドア枠２の左右の側枠部材２Ａ，２Ｂと左右方向に対向する箇所において、縦方向が長さ方向となって配置されている芯部材５Ａ，５Ｂと、ドア枠２の上枠部材２Ｃと上下方向に対向する箇所において、左右方向が長さ方向となって配置されている芯部材５Ｃとが示されている。
【００３８】
壁４の開口部４Ａの内側にドア枠２を配置する作業を行う以前において、芯部材５Ａ，５Ｂ，５Ｃには、図３及び図４で示す補強部材７が予め結合されており、また、これらの補強部材７ごとに補助部材８が図４の止着具９により取り付けられている。それぞれの補助部材８には、クランク形状となっている位置決め部材１０が結合されており、これらの位置決め部材１０を、補強部材７におけるドア枠２の厚さ方向（開き戸１及び壁４の厚さ方向）両側の面のうち、一方の面に当接させた後に、補助部材８が補強部材７に止着具９で取り付けられているため、それぞれの補助部材８は、補強部材７にドア枠２の厚さ方向における所定位置に位置決めされて取り付けられている。
【００３９】
以上において、芯部材５、補強部材７及び補助部材８は、建物躯体となっている壁４側の部材となっているため、これらの芯部材５、補強部材７及び補助部材８は、躯体側建材である。これに対して開き戸１及びドア枠２は、壁４に設置される開き戸装置側の部材であるため、これらの開き戸１及びドア枠２は、開き戸装置側建材となっている。
【００４０】
図３には、壁４の開口部４Ａの内側にドア枠２を配置する作業を行った後に、ドア枠２を連結具２０により補強部材７に補助部材８を介して連結している状態が示されている。このようにドア枠２を補強部材７に補助部材８を介して連結するための連結具２０は、ドア枠２の左右の側枠部材２Ａ，２Ｂと上枠部材２Ｃのそれぞれについて、複数個設けられている。この連結具２０には、第１連結部材２１と第２連結部材２２とが用いられて構成された複数個の第１連結具２０Ａと、第１連結部材２１は用いられているが、第２連結部材２２は用いられていない２個の第２連結具２０Ｂとがある。複数個の第１連結具２０Ａのそれぞれは、同一形状及び同一構造のものとなっているため、図５及び図６には、図３で示されている複数個の第１連結具２０Ａのうち、図４で示されているドア枠２の側枠部材２Ａに配置されていて、この側枠部材２Ａと、前述の芯部材５Ａに結合された補強部材７に取り付けられている補助部材８とを連結している第１連結具２０Ａが代表例として示されており、これらの図５及び図６では、側枠部材２Ａは省略されている。
【００４１】
なお、図３で２個示されている第２連結具２０Ｂも、それぞれ同一形状及び同一構造のものとなっていて、これらの第２連結具２０Ｂは、図３に示されているように、左右の側枠部材２Ａ，２Ｂに複数個が上下方向に配置されている第１連結具２０Ａよりも下側に配置されている。
【００４２】
図５には、第１連結具２０Ａの斜視図が補助部材８を含めて示され、図６は、図５の正面図である。第１連結具２０Ａは、図４にも示されているように、ハット形状に形成された軸受け部材２３と、ドア枠２の厚さ方向が軸方向Ｎとなっていて、この軸方向Ｎの両端部が抜け止め部２４Ａとなって抜け止めされながら軸受け部材２３に支持されている中心軸２４と、前述の第１連結部材２１と、第２連結部材２２とにより構成されている。図４に示されているように、第１及び第２連結部材２１，２２のそれぞれにおける両端部となっている壁４の端部とドア枠２側の端部とのうち、ドア枠２側の端部に、中心軸２４が第１及び第２連結部材２１，２２に共通の挿通部材となって挿通している。また、中心軸２４を中心に回動自在となっている第１連結部材２１における壁４側の端部は、ドリルねじによる結合具２５により補助部材８に結合され、また、中心軸２４を中心に回動自在となっている第２連結部材２２における壁４側の端部は、ドリルねじによる結合具３４により補助部材８に結合されている。
【００４３】
図７には第１連結部材２１が示され、図７（Ａ）（Ｂ）（Ｃ）（Ｄ）は、この第１連結部材２１の平面図、側面図、底面図、背面図である。金属板の打ち抜き及び折り曲げ品である第１連結部材２１には、中心軸２４の軸方向Ｎに離れている２個の連結部２６が互いに対向して設けられ、これらの連結部２６における中心軸２４の軸方向Ｎと直交する側の第１連結部材２１全体の厚さ方向の端部同士の間には、架け渡し部２７が架け渡されているため、２個の連結部２６は、中心軸２４の軸方向Ｎを幅寸法とする架け渡し部２７により結合されている。また、それぞれの連結部２６は、中心軸２４の軸方向Ｎと直交しかつ第１連結部材２１全体の厚さ方向とも直交する方向の長さ寸法を有し、この長さ寸法は、長さ方向の両端部２６Ａ，２６Ｂが、ドア枠２と、壁４の躯体となっている補助部材８とに達する寸法となっている。
【００４４】
また、それぞれの連結部２６の長さ方向の両端部２６Ａ，２６Ｂのうち、補助部材８側の端部２６Ａには、図７（Ａ）（Ｃ）に示されているように、中心軸２４の軸方向Ｎに対して第１連結部材２１の外側への傾斜角度となっているねじり角度αが設けられ、このねじり角度αは、２個の連結部２６について互いに逆の向きのねじり角度となっており、また、ドア枠２側の端部２６Ｂには、図７（Ａ）（Ｃ）に示されているように、このようなねじり角度は設けられていない。そして、補助部材８側の端部２６Ａとドア枠２側の端部２６Ｂとの間は、ねじり角度αを少しずつ消滅するための中間部２６Ｃとなっている。ドア枠２側の端部２６Ｂには、中心軸２４を挿通させるための挿通部として大径の第１孔２８が設けられているとともに、補助部材８側の端部２６Ａには、図４で示した結合具２５を挿入するための小径の第２孔２９が設けられている。また、それぞれの連結部２６には、上述のねじり角度αが存在している補助部材８側の端部２６Ａの範囲において、図１９及び図２０で後述するタッピングビスとなっている結合具５０，５１を挿入するための第３孔３０も設けられている。
【００４５】
さらに、架け渡し部２７には長孔３１が設けられ、連結部２６の長さ方向に長くなっているこの長孔３１は、架け渡し部２７の強度を低下させるためにこの架け渡し部２７に形成された強度低下部となっている。
【００４６】
以上のように第１連結部材２１は、２個の連結部２６と、これらの連結部２６に架け渡された架け渡し部２７とにより形成された全体形状が略コの字状のものとなっているが、２個の連結部２６におけるそれぞれの補助部材８側の端部２６Ａでの形状は、上述したねじり角度αのために、第１連結部材２１の外側へ開いた、これを言い換えると、中心軸２４の軸方向Ｎの外側へ開いたハの字状となっている。
【００４７】
図８には、図４の結合具２５により連結部２６の補助部材８側の端部２６Ａを補助部材８に結合するために、それぞれの補助部材８側の端部２６Ａに、中心軸２４の軸方向Ｎにおける互いに逆の向きの荷重Ｗが作用したときを示している。このような荷重Ｗがそれぞれの補助部材８側の端部２６Ａに作用すると、これらの補助部材８側の端部２６Ａの図７で示したねじり角度αは減少又は消滅するとともに、架け渡し部２７には、荷重Ｗの影響により、この架け渡し部２７の厚さ方向（第１連結部材２１全体の厚さ方向）のうち、第１連結部材２１の外側へ突出する方向への湾曲等の変形が生じ、また、補助部材８側の端部２６Ａに中間部２６Ｃを介して接続されているそれぞれのドア枠２側の端部２６Ｂには、荷重Ｗの影響により、中心軸２４の軸方向Ｎに対して第１連結部材２１の内側への傾斜角度となったねじり角度βが生じ、このねじり角度βは、これらのドア枠２側の端部２６Ｂについて、互いに逆の方向へのねじり角度となる。
【００４８】
これにより、第１連結部材２１の全体では、２個の連結部２６におけるそれぞれのドア枠２側の端部２６Ｂの形状が、ねじり角度βのために、第１連結部材２１の内側へ閉じた逆ハの字状となる。
【００４９】
なお、架け渡し部２７には、この架け渡し部２７の強度を低下させるための強度低下部となっている長孔３１が設けられているため、荷重Ｗにより架け渡し部２７は大きく上述したように湾曲等の変形を行いやすくなっており、このため、補助部材８側の端部２６Ａのねじり角度αの減少又は消滅と、ドア枠２側の端部２６Ｂにおけるねじり角度βの発生も、一層確実に生ずるようになっている。
【００５０】
図９には、第２連結部材２２が示され、図９（Ａ）（Ｂ）は、この第２連結部材２２の側面図、背面図である。第１連結部材２１と同様に、金属板の打ち抜き及び折り曲げ品である第２連結部材２２にも、中心軸２４の軸方向Ｎに離れている２個の連結部３５が互いに対向して設けられ、これらの連結部３５における中心軸２４の軸方向Ｎと直交する側の第２連結部材２２全体の厚さ方向の端部同士の間には、架け渡し部３６が架け渡されているため、２個の連結部３５は、中心軸２４の軸方向Ｎを幅寸法とする架け渡し部３６により結合されている。また、それぞれの連結部３５は、中心軸２４の軸方向Ｎと直交しかつ第２連結部材２２全体の厚さ方向とも直交する方向の長さ寸法を有し、この長さ寸法は、長さ方向の両端部３５Ａ，３５Ｂが、ドア枠２と、壁４の躯体となっている補助部材８とに達する寸法となっている。
【００５１】
また、それぞれの連結部３５の長さ方向の両端部３５Ａ，３５Ｂのうち、補助部材８側の端部３５Ａは、ドア枠２側の端部３５Ｂに対して第２連結部材２２の内側へ少し屈曲しており、これらの端部３５Ａ，３５Ｂのうち、ドア枠２側の端部３５Ｂには、中心軸２４を挿通させるための挿通部として大径の第１孔３７が設けられているとともに、補助部材８側の端部３５Ａには、図４で示した結合具３４を挿入するための挿通部として小径の第２孔３８が設けられている。また、それぞれの連結部３５には、図１９及び図２０で後述するように、タッピングビスとなっている結合具５０，５１を挿入するための第３孔３９も設けられている。
【００５２】
さらに、架け渡し部３６における連結部３５の長さ方向の両端部のうち、ドア枠２側の端部３６Ｂには、中心軸２４側へ、これを言い換えると、第１連結部材２１側へ突出する突片部４０が形成されている。架け渡し部３６の端部３６Ｂには、この突片部４０の近接箇所において、切欠部４１が設けられ、本実施形態では、この切欠部４１は、突片部４０の両側において、端部３６Ｂに２個設けられている。なお、本実施形態の突片部４０は、図９（Ｂ）に示されているように、架け渡し部３６から第２連結部材２２の厚さ方向の内側に少し屈曲して形成されている。
【００５３】
このようにして第２連結部材２２に形成されている突片部４０は、この突片部４０に第２連結部材２２全体の厚さ方向への荷重が作用したときには、この厚さ方向に折り曲げ可能となっており、この折れ曲げは、切欠部４１が、突片部４０の両側において、架け渡し部３６の端部３６Ｂに２個設けられていて、これらの切欠部４１が、架け渡し部２７における突片部４０の基端部分の強度を低下させるための強度低下部となっていることにより、上記荷重が小さくても突片部４０を容易に折り曲げることができるようになっている。
【００５４】
以上説明した第１連結部材２１と、第２連結部材２２と、軸受け部材２３と、中心軸２４とからなる第１連結具２０Ａは、この第１連結具２０Ａの正面図を示している図１０と、第１連結具２０Ａの側面図を示している図１１とに示された構造に、図３で示したドア枠２を製造する工場において組み立てられる。この組み立ては、第１連結部材２１の連結部２６に設けられた第１孔２８と、第２連結部材２２の連結部３５に設けられた第１孔３７とに、中心軸２４を共通の挿通部材として挿通するとともに、この中心軸２４をハット形状となっている軸受け部材２３にも挿通し、中心軸２４の両端部を軸受け部材２３からの抜け止め部２４Ａとする加工等によって行われる。
【００５５】
なお、本実施形態に係る中心軸２４は、表面にねじ山とねじ溝による凹凸が軸方向に交互に多数形成されている雄ねじ棒である。
【００５６】
図１１のＳ１２−Ｓ１２線断面図である図１２には、上述のように第１連結部材２１と第２連結部材２２と軸受け部材２３と中心軸２４とにより組み立てられた第１連結具２０Ａの断面図が示されている。工場で組み立てられた第１連結具２０Ａでは、第２連結部材２２に形成されている突片部４０は、第１連結部材２１に設けられている架け渡し部２７の裏面２７Ａに当接している。このため、中心軸２４が共通の挿通部材となっている第１連結部材２１と第２連結部材２２は、中心軸２４で連結されたものとなっているとともに、これらの第１連結部材２１と第２連結部材２２は、中心軸２４の軸方向Ｎと直交する方向に並んで平行又は略平行となっている。
【００５７】
このため、突片部４０は、第１連結部材２１と第２連結部材２２を、中心軸２４の軸方向Ｎと直交する方向に並ばせて平行又は略平行とさせるための平行手段４５を構成するものとなっている。また、第１連結具２０Ａが、後述するように、図３で示されているドア枠２と、壁側の建材となっている補助部材８との間のすき間に挿入されるときには、この平行手段４５の平行機能により、第１連結部材２１と第２連結部材２２を、２個の建材となっているドア枠２と補助部材８との間隔の方向と、これらのドア枠２と補助部材８のうち、ドア枠２の厚さ方向（図１及び図２で示した壁４の厚さ方向でもある。）とに直交する方向（ドア枠２の側枠部材２Ａ，２Ｂに配置される第１連結具２０Ａでは上下方向、ドア枠２の上枠部材２Ｃに配置される第１連結具２０Ａでは左右方向）に並ばせながら平行又は略平行とさせることができるようになっている。
【００５８】
以上の第１連結具２０Ａは、ドア枠２を製造した工場において、図４から分かるように、ドア枠２の左右の側枠部材２Ａ，２Ｂ及び上枠部材２Ｃに軸受け部材２３が溶接等で結合されることにより、ドア枠２に取り付けられる。また、図３で示した第２連結具２０Ｂは、第１連結部材２１と軸受け部材２３と中心軸２４とからなり、したがって、第２連結具２０Ｂは、第１連結具２０Ａから第２連結部材２２を取り除いたものと同じ構造になっている。このようなこの第２連結具２０Ｂも、ドア枠２の左右の側枠部材２Ａ，２Ｂに軸受け部材２３が溶接等で結合されることにより、工場でドア枠２に取り付けられる。
【００５９】
第１連結具２０Ａと第２連結具２０Ｂが工場で取り付けられたドア枠２は、図１の開き戸装置が施工設置される作業現場に運ばれ、この後に、図２の壁４の図４で示した面材６が芯部材５に取り付けられる以前において、ドア枠２の左右の側枠部材２Ａ，２Ｂと、図２の壁４を構成するために図３の芯部材５Ａ，５Ｂに結合された補強部材７に取り付けられている補助部材８との間の左右方向の間隔に、第１連結具２０Ａ及び第２連結具２０Ｂを挿入するとともに、ドア枠２の上枠部材２Ｃと、図３の芯部材５Ｃに結合された補強部材７に取り付けられている補助部材８との間の上下方向の間隔に、第１連結具２０Ａを挿入し、これにより、ドア枠２及び第１及び第２連結具２０Ａ，２０Ｂを図１及び図２に示されている壁４の開口部４Ａの内側に配置する。なお、補強部材７に補助部材８を取り付ける作業は、以上のようにしてドア枠２及び第１及び第２連結具２０Ａ，２０Ｂを壁４の開口部４Ａの内側に配置するための作業を行う直前において行われる。
【００６０】
本実施形態では、以上のようにドア枠２及び第１及び第２連結具２０Ａ，２０Ｂを壁４の開口部４Ａの内側に配置する作業を行う際において、第１連結具２０Ａの第１連結部材２１と第２連結部材２２が中心軸２４を中心に回動自在となっていても、ドア枠２の側枠部材２Ａ，２Ｂと、芯部材５Ａ，５Ｂに結合された補強部材７に取り付けられている補助部材８との間の左右方向の間隔に挿入される第１連結具２０Ａについては、上述した平行手段４５の平行機能により、第１連結部材２１と第２連結部材２２とを、側枠部材２Ａ，２Ｂと補強部材７との間隔である左右方向と、ドア枠２の厚さ方向とに直交する方向となっている上下方向に並ばせながら平行又は略平行とさせることができ、また、ドア枠２の上枠部材２Ｃと、芯部材５Ｃに結合された補強部材７に取り付けられている補助部材８との間の上下方向の間隔に挿入される第１連結具２０Ａについては、平行手段４５の平行機能により、第１連結部材２１と第２連結部材２２とを、上枠部材２Ｃと補強部材７との間隔である上下方向と、ドア枠２の厚さ方向とに直交する方向となっている左右方向に並ばせながら平行又は略平行とさせることができる。
【００６１】
このため、上述したように第１連結具２０Ａの第１連結部材２１と第２連結部材２２が中心軸２４を中心に回動自在となっていて、側枠部材２Ａ，２Ｂと補強部材７との左右方向の間隔や、上枠部材２Ｃと補強部材７との上下方向の間隔が小さくなっていても、これらの間隔に第１連結具２０Ａを有効に挿入することができ、この挿入作業時には、第２連結具２０Ｂにおける第１連結部材２１だけを、この第２連結具２０Ｂの中心軸２４を中心にして上向きに立てた状態にしてこの挿入作業を実施すればよいため、少ない作業者により作業性を向上させて容易かつ短時間で終了することができる。
【００６２】
上述したようにして複数個の第１連結具２０Ａを側枠部材２Ａ，２Ｂと補強部材７との左右方向の間隔、及び上枠部材２Ｃと補強部材７との上下方向の間隔に挿入した後に、作業者は、それぞれの第１連結具２０Ａにおける第１連結部材２１と第２連結部材２２のうち、少なくとも一方の連結部材を他方の連結部材に対して中心軸２４を中心に側枠部材２Ａ，２Ｂ側や上枠部材２Ｃ側とは反対側に回動させる作業を行う。この回動作業は、例えば、第１連結部材２１の図７で示した第２孔２９や第３孔３０、第２連結部材２２の図９で示した第２孔３８や第３孔３９に工具等を挿入することにより実施できる。
【００６３】
図１４は、この回動作業が実施された後における第１連結具２０Ａの側面図を示している図１３のＳ１４−Ｓ１４線断面図である。この図１４に示されているように、上述の回動作業が行われると、第２連結部材２２に設けられていて、第１連結部材２１の架け渡し部２７の裏面２７Ａに当接していた突片部４０は、作業者による回動作業による荷重により、第２連結部材２２の架け渡し部３６との接続箇所から折れ曲がり、これにより、平行手段４５の平行機能が消滅する。このため、複数個の第１連結具２０Ａのうち、側枠部材２Ａ，２Ｂと補強部材７との間隔に挿入された第１連結具２０Ａについては、第１連結部材２１と第２連結部材２２とを、図１０の二点鎖線で示されている第１連結部材２１と第２連結部材２２から分かるように、側枠部材２Ａ，２Ｂと補強部材７との間隔の方向である左右方向Ｍに対する傾き角度θ１，θ２が互いに逆の向きの角度となるように中心軸２４を中心に回動させることにより、これらの第１及び第２連結部材２１，２２における２個の連結部２６，３５の図７及び図９で示した補助部材８側の端部２６Ａ同士の間及び端部３５Ａ同士の間に補助部材８に挿入することができる（図１５を参照）。また、上枠部材２Ｃと補助部材８との間隔に挿入された第１連結具２０Ａについては、第１連結部材２１と第２連結部材２２とを、上枠部材２Ｃと補強部材７との間隔の方向である上下方向に対する傾き角度が互いに逆の向きの角度となるように中心軸２４を中心に回動させて、これらの第１及び第２連結部材２１，２２における２個の連結部２６，３５の補助部材８側の端部２６Ａ同士の間及び端部３５Ａ同士の間に補助部材８に挿入することができる。
【００６４】
このため、それぞれの第１連結具２０Ａにおいて、第１連結部材２１は、側枠部材２Ａ，２Ｂと補助部材８との間隔の方向や、上枠部材２Ｃと補助部材８との間隔の方向に対する傾き角度をなすものとなるとともに、第２連結部材２２は、側枠部材２Ａ，２Ｂと補助部材８との間隔の方向や、上枠部材２Ｃと補助部材８との間隔の方向に対する傾き角度が、第１連結部材の傾き角度とは逆向きの傾き角度をなすものとなる。
【００６５】
なお、これらの第１連結具２０Ａにおいて、前述したように、第２連結部材２２には、この第２連結部材２２に設けられている突片部４０の両側において、強度低下部となっている切欠部４１が２個形成されているため、突片部４０を、第２連結部材２２の架け渡し部３６との接続箇所から折り曲げるための上述の回動作業の荷重が小さくても、作業者は、突片部４０をより確実に折り曲げることができる。
【００６６】
また、本実施形態では、第１連結具２０Ａの構成部材となっている中心軸２４は、この第１連結具２０Ａの第１連結部材２１と第２連結部材２２とを回動自在とするために、これらの第１連結部材２１と第２連結部材２２とに共通して挿通された挿通部材となっているため、これらの第１連結部材２１と第２連結部材２２を回動自在とする中心軸を、これらの第１連結部材２１と第２連結部材２２に個別に設けた場合と比較すると、第１連結具２０Ａを構成する部材点数の削減を図ることができ、これにより、構造の簡単化及び製造コストの安価化を達成できる。
【００６７】
図１５には、上述したように第１連結具２０Ａの第１及び第２連結部材２１，２２における２個の連結部２６，３５の補助部材８側の端部２６Ａ同士の間及び端部３５Ａ同士の間に補助部材８が挿入された状態が示されている。
【００６８】
前述した作業を行った後に、作業者は、第１連結具２０Ａにおける第１連結部材２１のそれぞれの補助部材８側の端部を、図４及び図１３で示されている２個の結合具２５を、第１連結部材２１の連結部２６に設けられた図７の第２孔２９に挿入して補助部材８にねじ込むことにより、図１６及び図１７に示されているように補助部材８に結合し、また、第２連結部材２２のそれぞれの補助部材８側の端部も、図４及び図１３で示されている２個の結合具３４を、第２連結部材２２の連結部３５に設けられた図９の第２孔３８に挿入して補助部材８にねじ込むことにより、図１６及び図１７に示されているように補助部材８に結合する。
【００６９】
また、作業者は、図３に示されているように、ドア枠２の左右の側枠部材２Ａ，２Ｂの最下部に配置されている２個の第２連結具２０Ｂのそれぞれにおいて、第１連結部材２１を中心軸２４を中心に回動させて、この第１連結部材２１についての前述した左右方向Ｍに対する傾き角度を、第１連結具２０Ａの第１連結部材２１についての傾き角度θ１と同じ又は略同じにして、この第１連結部材２１の補助部材８側の端部を、図４及び図１３で示した２個の結合具２５と同様の結合具により、補助部材８に結合する。
【００７０】
なお、これらの第２連結具２０Ｂを、第１連結部材２１が用いられていて、第２連結部材２２が用いられていないものとしている理由は、第１連結部材２１の下側に配置される第２連結部材２２を省略することにより、第２連結具２０Ｂを左右の側枠部材２Ａ，２Ｂの最下部の箇所に第２連結具２０Ｂを有効に配置できるようにするためである。
【００７１】
前述した結合具２５，３４による結合作業を行うと、ドア枠２はそれぞれの補助部材８に、複数個の第１連結具２０Ａでは、第１連結部材２１の２個の連結部２６と、第２連結部材２２の２個の連結部３５とを介して、また、２個の第２連結具２０Ｂでは、第１連結部材２１の２個の連結部３５とを介して、それぞれ連結されたことになる。そして、この連結作業は、側枠部材２Ａ，２Ｂと補強部材７との間隔に挿入された第１連結具２０Ａについては、第１連結部材２１と第２連結部材２２とを、側枠部材２Ａ，２Ｂと補強部材７との間隔の方向である左右方向Ｍに対する傾き角度θ１、θ２を互いに逆の向きの角度とさせた姿勢にして行っているため、ドア枠２は、補助部材８に対して上下方向に不動状態となって連結されていることになる。また、上記連結作業は、上枠部材２Ｃと補助部材８との間隔に挿入された第１連結具２０Ａについては、第１連結部材２１と第２連結部材２２とを、上枠部材２Ｃと補強部材７との間隔の方向である上下方向に対する傾き角度を互いに逆の向きの角度とさせた姿勢にして行っているため、ドア枠２が、補助部材８に対して左右方向にも不動状態となって連結されていることになる。
【００７２】
また、図１６及び図１７に示されているように、第１連結具２０Ａにおける第１連結部材２１のそれぞれの補助部材８側の端部を、図４及び図１３で示されている２個の結合具２５を、第１連結部材２１のそれぞれの連結部２６に設けられた図７の第２孔２９に挿入することにより、補助部材８に結合したときには、図８で説明したように、それぞれの連結部２６の補助部材８側の端部２６Ａには、結合具２５からの荷重Ｗが作用する。このため、これらの補助部材８側の端部２６Ａに存在していたねじり角度αが、荷重Ｗのために減少又は消滅するとともに、補助部材８側の端部２６Ａとは反対側の端部であるドア枠２側の端部２６Ｂには、前述したようにねじり角度βが生ずることになる。
【００７３】
図１８には、このようなねじり角度βが第１連結部材２１のそれぞれの連結部２６のドア枠２側の端部２６Ｂに生ずることを示したこの端部２６Ｂの拡大断面図である。この図１８に示されているように、それぞれの第１連結部材２１の連結部２６のドア枠２側の端部２６Ｂにねじり角度βが生ずると、このねじり角度βは、中心軸２４の軸方向Ｎに対して傾斜した角度となるため、この中心軸２４を挿通させるためにドア枠２側に端部２６Ｂに設けられた挿通部となっている孔２８も、中心軸２４の軸方向Ｎに対して傾斜することになる。このため、孔２８の角部２８Ａは、中心軸２４の表面に係止することになり、これを言い換えると、中心軸２４は、孔２８の角部２８Ａが係止する被係止部材となり、この被係止部材への孔２８の係止により、第１連結部材２１が構成部材となっている第１連結具２０Ａは、中心軸２４の軸方向Ｎであるドア枠２の厚さ方向に不動状態となる。このため、ドア枠２は、躯体側建材となっている補助部材８に対してドア枠２の厚さ方向に不動状態となって連結されることになる。
【００７４】
特に、本実施形態の被係止部材となっている中心軸２４は、前述したように、表面にねじ山とねじ溝による凹凸が軸方向に交互に多数形成されている雄ねじ棒であるため、孔２８の角部２８Ａは、中心軸２４の表面に一層確実に係止することになり、これにより、ドア枠２を、補助部材８に対してドア枠２の厚さ方向に一層確実に不動状態となって連結することができる。
【００７５】
また、本実施形態では、第１及び第２連結部材２１，２２が前述した結合具２５，３４により結合される補助部材８は、図４で示した位置決め部材１０により、補強部材７にドア枠２の厚さ方向における所定位置に位置決めされて取り付けられているため、孔２８の角部２８Ａが中心軸２４の表面に係止することにより、ドア枠２は、このドア枠２の厚さ方向の所定位置に位置決めされて配置されることになる。
【００７６】
また、本実施形態では、上述したように第１連結部材２１の２個の連結部２６のそれぞれの補助部材８側の端部２６Ａに、図４の結合具２５による図８の荷重Ｗが作用したときには、第１連結部材２１に設けられている架け渡し部２７に、図８で説明したように、この架け渡し部２７の厚さ方向のうち、第１連結部材２１の外側へ突出する方向への湾曲等の変形が生じるとともに、第１連結部材２１のそれぞれのドア枠２側の端部２６Ｂにねじり角度βが生ずることになる。本実施形態では、架け渡し部２７には、架け渡し部２７の強度を低下させるための強度低下部となっている長孔３１が設けられているため、荷重Ｗにより、架け渡し部２７の湾曲等の変形は一層確実に生じることになり、これにより、ドア枠２側の端部２６Ｂのねじり角度βも一層確実に生じることになる。
【００７７】
以上説明した実施形態では、第１連結具２０Ａの第１及び第２連結部材２１，２２の２個の連結部２６，３５における補助部材８側の端部２６Ａ，３５Ａを補助部材８に結合すするためのそれぞれ２個ずつとなっている結合具２５，３４は、図１６及び図１７に示されているように、互いに中心軸２４の軸方向Ｎにおける反対側に配置されていて、これらの補助部材８側の端部２６Ａ，３５Ａを補助部材８に結合するために、中心軸２４の軸方向Ｎにおける互いに逆の向きとなっていた。
【００７８】
図１９及び図２０で示した実施形態では、第１連結具２０Ａの第１連結部材２１の２個の連結部２６における補助部材８側の端部２６Ａを補助部材８に結合するために、上述の１個の結合具２５と、別の１個の結合具５０とが用いられている。これらの結合具２５，５０は、中心軸２４の軸方向Ｎにおける同じ側に配置されて、この軸方向Ｎにおける同じ向きとなっているとともに、これらの結合具２５，５０のうち、結合具５０は、図１９に示されているように、２個の連結部２６Ｄ，２６Ｅのうち、中心軸２４の軸方向Ｎにおける結合具２５，５０が配置されている上記同じ側とは反対側に配置されている連結部２６Ｄを、上記同じ側に配置されている連結部２６Ｅの側へ引き寄せるための結合具となっている。また、第２連結部材２２の２個の連結部３５における補助部材８側の端部３５Ａを補助部材８に結合するために、上述の１個の結合具３４と、別の１個の結合具５１とが用いられており、これらの結合具３４，５１も、中心軸２４の軸方向Ｎにおける同じ側に配置されて、この軸方向Ｎにおける同じ向きとなっているとともに、これらの結合具３４，５１のうち、結合具５１は、２個の連結部３５のうち、中心軸２４の軸方向Ｎにおける結合具３４，５１が配置されている上記同じ側とは反対側に配置されている連結部３５Ｄを、上記同じ側に配置されている連結部３５Ｅの側へ引き寄せるための結合具となっている。
【００７９】
これらの結合具５０，５１は、図１９に示されているように、頭部５０Ａ，５１Ａと、これらの頭部５０Ａ，５１Ａから前方へ延びる小径軸部５０Ｂ，５１Ｂと、これらの小径軸部５０Ｂ，５１Ｂから前方へ延びる大径雄ねじ部５０Ｃ，５１Ｃとからなるタッピングビスである。図７及び図９に示されている第１及び第２連結部材２１，２２に設けられている第３孔３０，３９の直径は、大径雄ねじ部５０Ｃ，５１Ｃの直径よりも小さく、かつ小径軸部５０Ｂ，５１Ｂの直径よりも大きくなっている。
【００８０】
このため、工具により結合具５０，５１を回転させながら、第１及び第２連結部材２１，２２におけるそれぞれの２個の連結部２６Ｄ，２６Ｅ，３５Ｄ，３５Ｅのうち、中心軸２４の軸方向Ｎにおける結合具２５，３４，５０，５１が配置される側と同じ側の連結部２６Ｅ，３５Ｅの第３孔３０，３９に結合具５０，５１を挿入させて前進させると、これらの第３孔３０，３９の内面に大径雄ねじ部５０Ｃ，５１Ｃによる雌ねじが刻設される。さらに、工具により結合具５０，５１を回転させながら前進させると、中心軸２４の軸方向Ｎにおける結合具２５，３４，５０，５１が配置されている側とは反対側の連結部２６Ｄ，３５Ｄの第３孔３０，３９にも大径雄ねじ部５０Ｃ，５１Ｃによる雌ねじが刻設されることになり、そして、このときには、結合具２５，３４，５０，５１が配置されている側と同じ側の連結部２６Ｅ，３５Ｅの第３孔３０，３９に、結合具５０，５１の小径軸部５０Ｂ，５１Ｂが達していて、これらの第３孔３０，３９では小径軸部５０Ｂ，５１Ｂが空回転するため、結合具２５，３４，５０，５１が配置されている側とは反対側の連結部２６Ｄ，３５Ｄは、大径雄ねじ部５０Ｃ、５１Ｃにより、結合具２５，３４，５０，５１が配置されている側と同じ側の連結部２６Ｅ，３５Ｅの側へ引き寄せられることになる。
【００８１】
このため、第１及び第２連結部材２１，２２のそれぞれ２個の連結部２６，３５における補助部材８側の端部２６Ａ，３５Ａのうち、結合具２５，３４，５０，５１が配置されている側とは反対側の端部２６Ａ，３５Ａは補助部材８に強く押圧される。これにより、これらの端部２６Ａ，３５Ａが補助部材８に結合されたと同様の状態になる。
【００８２】
この実施形態によると、第１連結具２０Ａの第１及び第２連結部材２１，２２のそれぞれ２個の連結部２６，３５における補助部材８側の端部２６Ａ，３５Ａを補助部材８に結合するための全部の結合具２５，３４，５０，５１を、中心軸２４の軸方向Ｎにおける同じ側に配置することができるため、これらの結合具２５，３４，５０，５１を工具で回転させて前進させるための作業も、中心軸２４の軸方向Ｎにおける同じ側に居る作業者により行うことができ、このため、この作業の作業性が向上して、作業の容易化、短時間化を達成することができる。
【００８３】
なお、図１９及び図２０の実施形態においては、第２連結具２０Ｂの第１連結部材２１の２個の連結部２６における補助部材８側の端部２６Ａを補助部材８に結合するためにも、結合具２５，５０と同様の結合具が用いられる。
【００８４】
本実施形態では、第１及び第２連結具２０Ａ，２０Ｂにおける第１連結部材２１の２個の連結部２６Ｄ，２６Ｅのそれぞれに第３孔３０が設けられ、また、第１連結具２０Ａにおける第２連結部材２２の２個の連結部３５Ｄ，３５Ｅのそれぞれに第３孔３９が設けられているため、結合具２５，３４，５０，５１を、図１９の図示例とは異なり、第１連結部材２１の連結部２６Ｄの側、第２連結部材２２の連結部３５Ｄの側に配置することも実施することができて、結合具２５，３４，５０，５１を配置する側を開き戸装置のそれぞれの設置現場の状態に応じて任意に選択でき、また、図３で示したドア枠２の左右の側枠部材２Ａ，２Ｂと上枠部材２Ｃに配置される第１及び第２連結具２０Ａ，２０Ｂについて、結合具２５，３４，５０，５１をドア枠２の厚さ方向の同じ側に配置して、このドア枠２を壁４の補助部材８に連結する作業を行える。
【００８５】
図２１には、図１９及び図２０で説明したように、全部の結合具２５，３４，５０，５１を中心軸２４の軸方向Ｎにおける同じ側に配置することが有効となる建物等の構造が平断面として示されている。この構造は、通常時はドア枠６２の内側の出入口６０を開いている防火戸６１がヒンジ６３を中心に、ドア枠６２と、閉じたときの防火戸６１を収納するための戸袋６５との間において開閉自在となっているものであり、戸袋６５は、大きな厚さ寸法を有する背後の壁６４に連結されている。戸袋６５を背後の壁６４に連結するために、第１及び第２連結具２０Ａ，２０Ｂと、図１９及び図２０で示した結合具２５，３４，５０，５１とが用いられ、これにより、戸袋６５の厚さ方向における一方の面が壁６４により覆われている構造となっていても、戸袋６５を背後の壁６４に連結する作業を、これらの第１及び第２連結具２０Ａ，２０Ｂと結合具２５，３４，５０，５１とにより有効に実施することができる。
【産業上の利用可能性】
【００８６】
本発明は、間隔をあけて配設される２個の建材、例えば、開き戸装置や引き戸装置等の装置側建材となっているドア枠等の開口枠と、壁等の躯体側の建材とを連結するために利用することができる。
【符号の説明】
【００８７】
１  開き戸
２  開き戸装置側の建材であるドア枠
２Ａ，２Ｂ  ドア枠の側枠部材
２Ｃ  ドア枠の上枠部材
４  躯体である壁
７  躯体側建材である補強部材
８  躯体側建材である補助部材
２０，２０Ａ，２０Ｂ  連結具
２１  第１連結部材
２２  第２連結部材
２６，３５，２６Ｄ，３５Ｄ，２６Ｅ，３５Ｅ  連結部
２６Ａ，３５Ａ  連結部における補助部材側の端部
２６Ｂ，３５Ｂ  連結部におけるドア枠側の端部
２７，３６  架け渡し部
２４  軸
２５，３４  結合具
３０，３９  孔
５０，５１  結合具でもあるタッピングビス
５０Ａ，５１Ａ  タッピングビスの頭部
５０Ｂ，５１Ｂ  タッピングビスの小径軸部
５０Ｃ，５１Ｃ  タッピングビスの大径雄ねじ部
【図１】
2020169562.tif 000003
【図２】
2020169562.tif 000004
【図３】
2020169562.tif 000005
【図４】
2020169562.tif 000006
【図５】
2020169562.tif 000007
【図６】
2020169562.tif 000008
【図７】
2020169562.tif 000009
【図８】
2020169562.tif 000010
【図９】
2020169562.tif 000011
【図１０】
2020169562.tif 000012
【図１１】
2020169562.tif 000013
【図１２】
2020169562.tif 000014
【図１３】
2020169562.tif 000015
【図１４】
2020169562.tif 000016
【図１５】
2020169562.tif 000017
【図１６】
2020169562.tif 000018
【図１７】
2020169562.tif 000019
【図１８】
2020169562.tif 000020
【図１９】
2020169562.tif 000021
【図２０】
2020169562.tif 000022
【図２１】
2020169562.tif 000023